【手続補正書】
【提出日】平成17年12月9日(2005.12.9)
【手続補正１】
【補正対象書類名】明細書
【補正対象項目名】特許請求の範囲
【補正方法】変更
【補正の内容】
【特許請求の範囲】
【請求項１】  番組を表示可能なＴＶに関係付けをしたビデオデータ記録システムであって、前記番組に関係付けをしたビデオデータをストアするためのストレージ装置を含むビデオデータ記録システムの方法であって、前記ストレージ装置上で利用可能な記録空間の使用を最適化する使用最適化方法において、
視聴者による要求であって、第１番組を前記ビデオデータ記録システムにより前記ストレージ装置上に記録する要求を受信する受信ステップと、
前記視聴者から前記第１番組を記録する要求を受信すると、事前に記憶した番組のリスト内の前記第１番組に第１タグを選択的に割り当てる割当ステップであって、前記第１タグは、前記第１番組の記録を少なくとも部分的に制御するためにシステムにより使用され、前記第１タグは保証タグ、オプションタグまたは優先順位タグのうちの少なくとも１つを含み、前記保証タグ、オプションタグおよび優先順位タグの各々は前記プログラムを記録するための異なる基準に対応する割当ステップと、
記録ルールを前記第１タグに適用して、前記第１番組記録の要求を満たすかどうかを判定する判定ステップと、
要求を満たすと判定された場合に、前記第１番組を前記ストレージ装置上に記録するようにシステムを自動的にプログラムするプログラムステップと
を備えたことを特徴とする使用最適化方法。
【請求項２】  請求項１において、前記第１タグは、前記ビデオデータ記録システムによって自動的に割り当てられることを特徴とする使用最適化方法。
【請求項３】  請求項１において、前記ビデオデータ記録システムによって受信された視聴者入力は、前記第１タグを前記第１番組に割り当てることを特徴とする使用最適化方法。
【請求項４】  請求項１において、前記ストレージ装置上で利用可能な記録空間が前記第１番組を記録するのに充分でない場合に前記視聴者に通知するステップをさらに備えたことを特徴とする使用最適化方法。
【請求項５】  請求項１において、前記第１タグは、前記第１番組がシステムに放送された時ではなく前記第１番組を前記ストレージ装置上に記録するための要求が受信されたとき、前記ストレージ装置上に充分な記録空間を確保できる保証タグであることを特徴とする使用最適化方法。
【請求項６】  請求項５において、前記判定ステップは、前記記録空間が利用可能であるかどうかを、前記要求が受信されたときに判定し、
前記プログラムステップは、
前記記録空間が利用可能である判定された場合に、前記第１番組を記録するのに充分な記録空間を確保する確保ステップと、
前記第１番組が放送されたとき、前記確保ステップで確保された記録空間に記録するように前記ビデオデータ記録システムを自動的にプログラムするステップと
を備えたことを特徴とする使用最適化方法。
【請求項７】  請求項６において、前記確保された記録空間が利用可能でないと判定した場合、前記確保された記録空間が前記第１番組を記録するのに充分でない旨を前記視聴者に通知するステップをさらに備えたことを特徴とする使用最適化方法。
【請求項８】  請求項１において、前記第１タグは、前記第１番組が放送されたとき、前記ストレージ装置上に充分な記録空間が存在した場合に、前記第１番組をストレージ装置上に記録させるためのオプションタグであることを特徴とする使用最適化方法。
【請求項９】  請求項８において、前記判定ステップは、前記第１番組が放送されたとき、該第１番組を記録するのに充分な記録空間がストレージ装置上で利用可能であるかどうかを判定し、
前記プログラムステップは、前記第１番組が放送されたとき、前記記録空間が利用可能であると判定した場合、前記第１番組をストレージ装置上に記録する
ことを特徴とする使用最適化方法。
【請求項１０】  請求項９において、前記第１番組が放送されたとき、前記記録空間が利用可能でないと判定した場合、前記ストレージ装置上で利用可能な記録空間が前記第１番組を記録するのに充分でない旨を前記視聴者に通知するステップをさらに備えたことを特徴とする使用最適化方法。
【請求項１１】  請求項１において、前記第１タグは、前記第１番組を記録するための第１優先順位を識別することを特徴とする使用最適化方法。
【請求項１２】  請求項１１において、ビデオデータ記録システムが第２の番組を前記ストレージ装置上に記録するための要求を受信するステップと、
第２タグを前記リスト内の前記第２番組に選択的に割り当てて、該第２番組を前記ストレージ装置上に記録するための第２優先順位を識別するステップと
をさらに備えたことを特徴とする使用最適化方法。
【請求項１３】  請求項１２において、
前記第１番組または前記第２番組のうちのいずれかに関係付けをしたデータを記録するのに充分な記録空間がストレージ装置上で利用可能であるとき、優先順位について、前記第１優先順位または前記第２優先順位のうちのいずれが高いかを判定するステップと、
前記第２優先順位が前記第１優先順位より高いと判定した場合、前記第２番組を前記第１番組に重ねて記録するステップと
をさらに備えたことを特徴とする使用最適化方法。
【請求項１４】  請求項１３において、前記第１優先順位が前記第２優先順位より高いと判定した場合、前記ストレージ装置上の記録空間が前記第２番組を記録するのに充分でない旨を前記視聴者に通知するステップをさらに備えたことを特徴とする使用最適化方法。
【請求項１５】  請求項１１において、前記ストレージ装置上の記録番組に割り当てられた第３タグに対応する第３優先順位と、前記第１優先順位とを比較するステップと、
優先順位について、前記第１優先順位または前記第３優先順位のうちのいずれが高いか判定するステップと、
前記第１優先順位が前記第３優先順位より高いと判定した場合、前記第１番組を、前記第３優先順位に関係付けをした記録番組の上に重ねて記録するステップと
をさらに備えたことを特徴とする使用最適化方法。
【請求項１６】  請求項１において、前記第１番組を前記ストレージ装置上に記録するステップをさらに備えたことを特徴とする使用最適化方法。
【請求項１７】  請求項１６において、記録ルールを前記第１タグに適用して、前記ストレージ装置から前記第１番組をいつ消去するかを判定するステップと、
前記第１番組を前記ストレージ装置から消去するステップと
をさらに備えたことを特徴とする使用最適化方法。
【請求項１８】  番組を表示可能なＴＶに関係付けをしたビデオデータ記録システムであって、１つ以上の記録された番組に関係付けをしたビデオデータをストアするためのストレージ装置を含むビデオデータ管理システムの方法であって、前記ストレージ装置上の記録空間のアベイラビリティを最適化するアベイラビリティ最適化方法において、
前記ストレージ装置上で前記第１記録番組を維持するため、第１優先順位を識別するための第１タグを事前に記憶された番組のリスト内の前記第１記録番組に選択的に割り当てるステップであって、前記第１タグの前記第１優先順位は前記第１プログラムがシステムで視聴された後に変更されるステップと、
前記第１記録番組が部分的に記録された番組であるかどうかを判定するステップと、
記録ルールを前記第１タグに適用して、前記第１記録番組を前記ストレージ装置から消去するかどうかを判定する判定ステップであって、前記第１記録番組が部分的に記録された番組であるときまたは前記第１タグの優先順位が変わるとき、前記第１記録番組は消去すべきであると判定する判定ステップと、
前記第１記録番組を前記ストレージ装置から消去すると判定した場合、前記第１記録番組を前記ストレージ装置から自動的に消去するステップと
を備えたことを特徴とするアベイラビリティ最適化方法。
【請求項１９】  請求項１８において、前記判定ステップは、
前記第１記録番組が部分番組であると判定した場合、第２番組を前記ストレージ装置上に記録するとき、前記第２番組を前記第１記録番組に重ねて記録することを指示するステップと
を備えたことを特徴とするアベイラビリティ最適化方法。
【請求項２０】  請求項１９において、前記第１記録番組が部分番組であると判定した場合、前記第２番組を前記第１記録番組に重ねて記録する旨を前記視聴者に通知するステップをさらに備えたことを特徴とするアベイラビリティ最適化方法。
【請求項２１】  請求項１８において、前記第１タグが消去時刻を含んでいる場合、該消去時刻に、前記第１記録番組を前記ストレージ装置から消去するステップをさらに備えたことを特徴とするアベイラビリティ最適化方法。
【請求項２２】  請求項１８において、関連する番組の定義済みバケットに前記第１記録番組が含まれているかどうかを判定するステップと、
前記第１記録番組が前記定義済みバケットに含まれていると判定した場合、前記バケットに割り振られたバケットサイズを判定するステップと、
前記バケットサイズを超えているかどうかを判定するステップと、
前記バケットサイズを超えていると判定した場合、１つ以上の記録番組を前記ストレージ装置から消去するステップと
をさらに備えたことを特徴とするアベイラビリティ最適化方法。
【請求項２３】  ビデオデータをストレージ装置上に記録し管理するインテリジェント記録管理システムにおいて、
プログラミングを搬送する信号を受信するレシーバと、
該レシーバに接続された記録装置であって、番組に割り当てられた記録タグと、該番組を記録するかどうかを判定する記録ルールとに基づいて、前記プログラミングの番組に対応するビデオデータを選択的に記録する記録装置であって、前記記録装置は、
視聴者による要求であって、番組を前記ビデオデータ記録システムにより前記ストレージ装置上に記録する要求を受信する受信手段と、
前記視聴者から前記番組を記録する要求を受信すると、タグを事前に記憶した番組のリスト内の前記要求に応答する番組に選択的に割り当てる割当手段であって、前記タグは、前記番組の記録を少なくとも部分的に制御するためにシステムにより使用され、前記タグは保証タグ、オプションタグまたは優先順位タグのうちの少なくとも１つを含み、前記保証タグ、オプションタグおよび優先順位タグの各々は前記プログラムを記録するための異なる基準に対応する割当手段と、
前記記録ルールを前記タグに適用して、前記番組記録の要求を満たすかどうかを判定する判定手段と、
要求を満たすと判定された場合に、前記番組に関連付けをしたビデオデータを前記ストレージ装置上に記録するようにシステムを自動的にプログラムするプログラム手段と
を有する記録装置と、
該記録装置に接続したストレージ装置であって、前記記録されたビデオデータに割り当てられた記録タグと、前記記録されたビデオデータを消去するかどうかを判定するための記録ルールとに基づいて、前記記録されたビデオデータをストアするストレージ装置と、
前記記録装置に結合されたインタフェースであって、視聴者に通知するインタフェースと
を備えたことを特徴とするインテリジェント記録管理システム。
【請求項２４】  請求項２３において、前記インタフェースは、ビデオデータを前記ストレージ装置上にストアするのに利用可能な記録空間の容量を前記視聴者に通知することを特徴とするインテリジェント記録管理システム。
【請求項２５】  請求項２３において、前記インタフェースは、前記番組に対応する前記ビデオデータを前記ストレージ装置上に記録する旨を前記視聴者に通知することを特徴とするインテリジェント記録管理システム。
【請求項２６】  請求項２３において、前記インタフェースは、前記記録されたビデオデータを前記ストレージ装置から消去する旨を前記視聴者に通知することを特徴とするインテリジェント記録管理システム。
【請求項２７】  請求項２３において、前記インタフェースは、前記ビデオデータの一部のみが前記ストレージ装置上に記録されるに至った旨を前記視聴者に通知することを特徴とするインテリジェント記録管理システム。
【請求項２８】  請求項７において、前記第１番組を記録するのに充分な空間がない旨を前記視聴者に通知するステップに続き、前記第１タグの優先順位を変更し、前記第１ストレージ装置に格納された他のプログラミング上に記録するステップをさらに含むことを特徴とする使用最適化方法。
【請求項２９】  請求項１において、前記第１タグは前記オプションタグおよび前記保証タグの少なくとも１つに加えて前記優先順位タグを含むことを特徴とする使用最適化方法。
【手続補正２】
【補正対象書類名】明細書
【補正対象項目名】００７３
【補正方法】変更
【補正の内容】
【００７３】
他方、判断ブロック１９０にて、識別した番組がテンポラリ優先順位タグを有していないと判定した場合は、判断ブロック２００にて、識別した番組がバケットの一部であるかどうかを判定する。上述したように、バケットによれば、視聴者は、関係付けられた番組またはエピソードの数か、マスストレージ装置５０上にストアされる関連する番組の継続時間を確立することができる。識別した番組がバケットの一部であると判定した場合は、判断ブロック２０２にて、バケットサイズを超えるかどうかを判定する。バケットサイズを超えないと判定した場合は、判断ブロック１８０にて、別の記録番組を識別する。
【手続補正３】
【補正対象書類名】明細書
【補正対象項目名】００７５
【補正方法】変更
【補正の内容】
【００７５】
判断ブロック２０９にて、バケットサイズを超えるかどうかを判定する。バケットサイズを超えないと判定した場合は、判断ブロック１８０にて、マスストレージ装置５０上で別の記録番組を識別する。他方、バケットサイズを超えると判定した場合は、判断ブロック２１０にて、バケットにおいて最も古い記録番組を識別し、判断ブロック２０６にて、バケットにおいて最も古い記録番組を消去する。その後、このプロセスを、バケットサイズを超えなくなるまで繰り返す。